【手続補正書】
【提出日】平成17年12月26日(2005.12.26)
【手続補正１】
【補正対象書類名】明細書
【補正対象項目名】特許請求の範囲
【補正方法】変更
【補正の内容】
【特許請求の範囲】
【請求項１】  少なくとも自要素の状態を示すプレゼンス情報を提供するプレゼンティティと、それを観察するサブスクライバと、前記プレゼンティティから受取った前記プレゼンス情報を前記サブスクライバに配信するプレゼンスサービスとからなるプレゼンスシステムであって、
前記プレゼンス情報の通知を特定のサブスクライバだけに行う通知手段を前記プレゼンティティに有することを特徴とするプレゼンスシステム。
【請求項２】  前記プレゼンティティは、前記プレゼンティティが保持する通知先決定ルールから前記特定のサブスクライバを導出する手段を含み、
前記通知手段は、その導出された前記特定のサブスクライバだけに前記プレゼンス情報の通知を行うことを特徴とする請求項１記載のプレゼンスシステム。
【請求項３】  前記プレゼンティティは、前記サブスクライバから指定された通知条件を含む通知先決定ルールから前記特定のサブスクライバを導出する手段を含み、
前記通知手段は、その導出された前記特定のサブスクライバだけに前記プレゼンス情報の通知を行うことを特徴とする請求項１または請求項２記載のプレゼンスシステム。
【請求項４】  前記プレゼンス情報の通知を行うサブスクライバを、前記サブスクライバがサブスクライブした順序に応じて決定することを特徴とする請求項１から請求項３のいずれか記載のプレゼンスシステム。
【請求項５】  前記プレゼンス情報の通知を行うサブスクライバを、前記サブスクライバの属性に応じて決定することを特徴とする請求項１から請求項４のいずれか記載のプレゼンスシステム。
【請求項６】  前記プレゼンス情報の通知を行うサブスクライバを、前記プレゼンティティのプレゼンスに応じて決定することを特徴とする請求項１から請求項５のいずれか記載のプレゼンスシステム。
【請求項７】  前記プレゼンス情報の通知を行う際に通知先のサブスクライバが前記特定のサブスクライバであることを認証するための情報を付加することを特徴とする請求項１から請求項６のいずれか記載のプレゼンスシステム。
【請求項８】  前記認証するための情報は、予め設定された期限付きの情報であることを特徴とする請求項７記載のプレゼンスシステム。
【請求項９】  前記プレゼンス情報の通知を行う手段として、少なくともインスタントメッセージと、電子メールと、電話通知とのいずれかを含むことを特徴とする請求項１から請求項８のいずれか記載のプレゼンスシステム。
【請求項１０】  前記プレゼンス情報の通知を行う手段として、少なくともインスタントメッセージと、電子メールと、電話通知とのいずれかで代替したことを特徴とする請求項１から請求項８のいずれか記載のプレゼンスシステム。
【請求項１１】  前記通知手段は、複数のサブスクライバに前記プレゼンス情報を同時に通知する際に、前記サブスクライバ毎に異なるプレゼンス情報を通知することを特徴とする請求項１から請求項１０のいずれか記載のプレゼンスシステム。
【請求項１２】  前記通知手段は、前記複数のサブスクライバに前記プレゼンス情報を同時に通知する際に、順番待ちの順序に応じて前記サブスクライバ毎に異なるプレゼンス情報を通知することを特徴とする請求項１１記載のプレゼンスシステム。
【請求項１３】  前記通知手段は、前記複数のサブスクライバに前記プレゼンス情報を同時に通知する際に、前記サブスクライバが前記プレゼンティティとどういった関係にあるかを示す属性に応じて前記サブスクライバ毎に異なるプレゼンス情報を通知することを特徴とする請求項１１記載のプレゼンスシステム。
【請求項１４】  前記通知手段は、前記サブスクライバに前記プレゼンス情報とともに少なくとも電子チケットを通知することを特徴とする請求項１から請求項１３のいずれか記載のプレゼンスシステム。
【請求項１５】  前記プレゼンス情報として特定の状態が通知されている期間の経過時間に応じて、前記プレゼンス情報の通知を行うサブスクライバを決定することを特徴とする請求項１から請求項１４のいずれか記載のプレゼンスシステム。
【請求項１６】  前記サブスクライバに前記プレゼンス情報を通知した後に一定時間、当該プレゼンス情報に対応する所定の動作が確認されない時に他のサブスクライバに前記プレゼンス情報を通知することを特徴とする請求項１から請求項１５のいずれか記載のプレゼンスシステム。
【請求項１７】  前記サブスクライバが一時的にオフラインとなった時に当該サブスクライバの順番待ちの順番を保存することを特徴とする請求項１から請求項１６のいずれか記載のプレゼンスシステム。
【請求項１８】  少なくとも自要素の状態を示すプレゼンス情報を提供するプレゼンティティと、それを観察するサブスクライバと、前記プレゼンティティから受取った前記プレゼンス情報を前記サブスクライバに配信するプレゼンスサービスとからなるプレゼンスシステムのプレゼンス通知先制御方法であって、
前記プレゼンティティ側に、前記プレゼンス情報の通知を特定のサブスクライバだけに行うステップを有することを特徴とするプレゼンス通知先制御方法。
【請求項１９】  前記プレゼンティティ側に、前記プレゼンティティが保持する通知先決定ルールから前記特定のサブスクライバを導出するステップを含み、
前記プレゼンス情報の通知を行うステップは、その導出された前記特定のサブスクライバだけに前記プレゼンス情報の通知を行うことを特徴とする請求項１８記載のプレゼンス通知先制御方法。
【請求項２０】  前記プレゼンティティ側に、前記サブスクライバから指定された通知条件を含む通知先決定ルールから前記特定のサブスクライバを導出するステップを含み、
前記プレゼンス情報の通知を行うステップは、その導出された前記特定のサブスクライバだけに前記プレゼンス情報の通知を行うことを特徴とする請求項１８または請求項１９記載のプレゼンス通知先制御方法。
【請求項２１】  前記プレゼンス情報の通知を行うサブスクライバを、前記サブスクライバがサブスクライブした順序に応じて決定することを特徴とする請求項１８から請求項２０のいずれか記載のプレゼンス通知先制御方法。
【請求項２２】  前記プレゼンス情報の通知を行うサブスクライバを、前記サブスクライバの属性に応じて決定することを特徴とする請求項１８から請求項２１のいずれか記載のプレゼンス通知先制御方法。
【請求項２３】  前記プレゼンス情報の通知を行うサブスクライバを、前記プレゼンティティのプレゼンスに応じて決定することを特徴とする請求項１８から請求項２２のいずれか記載のプレゼンス通知先制御方法。
【請求項２４】  前記プレゼンス情報の通知を行う際に通知先のサブスクライバが前記特定のサブスクライバであることを認証するための情報を付加することを特徴とする請求項１８から請求項２３のいずれか記載のプレゼンス通知先制御方法。
【請求項２５】  前記認証するための情報は、予め設定された期限付きの情報であることを特徴とする請求項２４記載のプレゼンス通知先制御方法。
【請求項２６】  前記プレゼンス情報の通知を行うステップにおける前記プレゼンス情報の通知を行う手段として、少なくともインスタントメッセージと、電子メールと、電話通知とのいずれかを含むことを特徴とする請求項１８から請求項２５のいずれか記載のプレゼンス通知先制御方法。
【請求項２７】  前記プレゼンス情報の通知を行うステップにおける前記プレゼンス情報の通知を行う手段として、少なくともインスタントメッセージと、電子メールと、電話通知とのいずれかにて代替したことを特徴とする請求項１８から請求項２５のいずれか記載のプレゼンス通知先制御方法。
【請求項２８】  前記通知を行うステップは、複数のサブスクライバに前記プレゼンス情報を同時に通知する際に、前記サブスクライバ毎に異なるプレゼンス情報を通知することを特徴とする請求項１８から請求項２７のいずれか記載のプレゼンス通知先制御方法。
【請求項２９】  前記通知を行うステップは、前記複数のサブスクライバに前記プレゼンス情報を同時に通知する際に、順番待ちの順序に応じて前記サブスクライバ毎に異なるプレゼンス情報を通知することを特徴とする請求項２８記載のプレゼンス通知先制御方法。
【請求項３０】  前記通知を行うステップは、前記複数のサブスクライバに前記プレゼンス情報を同時に通知する際に、前記サブスクライバが前記プレゼンティティとどういった関係にあるかを示す属性に応じて前記サブスクライバ毎に異なるプレゼンス情報を通知することを特徴とする請求項２８記載のプレゼンス通知先制御方法。
【請求項３１】  前記通知を行うステップは、前記サブスクライバに前記プレゼンス情報とともに少なくとも電子チケットを通知することを特徴とする請求項１８から請求項３０のいずれか記載のプレゼンス通知先制御方法。
【請求項３２】  前記プレゼンス情報として特定の状態が通知されている期間の経過時間に応じて、前記プレゼンス情報の通知を行うサブスクライバを決定することを特徴とする請求項１８から請求項３１のいずれか記載のプレゼンス通知先制御方法。
【請求項３３】  前記サブスクライバに前記プレゼンス情報を通知した後に一定時間、当該プレゼンス情報に対応する所定の動作が確認されない時に他のサブスクライバに前記プレゼンス情報を通知することを特徴とする請求項１８から請求項３２のいずれか記載のプレゼンス通知先制御方法。
【請求項３４】  前記サブスクライバが一時的にオフラインとなった時に当該サブスクライバの順番待ちの順番を保存することを特徴とする請求項１８から請求項３３のいずれか記載のプレゼンス通知先制御方法。
【請求項３５】  少なくとも自要素の状態を示すプレゼンス情報を提供するプレゼンティティと、それを観察するサブスクライバと、前記プレゼンティティから受取った前記プレゼンス情報を前記サブスクライバに配信するプレゼンスサービスとからなるプレゼンスシステムのプレゼンス通知先制御方法のプログラムであって、コンピュータに、前記プレゼンス情報の通知を特定のサブスクライバだけに行う処理を実行させるためのプログラム。
【手続補正２】
【補正対象書類名】明細書
【補正対象項目名】０００９
【補正方法】変更
【補正の内容】
【０００９】
【課題を解決するための手段】
本発明によるプレゼンスシステムは、少なくとも自要素の状態を示すプレゼンス情報を提供するプレゼンティティと、それを観察するサブスクライバと、前記プレゼンティティから受取った前記プレゼンス情報を前記サブスクライバに配信するプレゼンスサービスとからなるプレゼンスシステムであって、前記プレゼンス情報の通知を特定のサブスクライバだけに行う通知手段を前記プレゼンティティに備えている。
【手続補正３】
【補正対象書類名】明細書
【補正対象項目名】００１０
【補正方法】変更
【補正の内容】
【００１０】
本発明によるプレゼンス通知先制御方法は、少なくとも自要素の状態を示すプレゼンス情報を提供するプレゼンティティと、それを観察するサブスクライバと、前記プレゼンティティから受取った前記プレゼンス情報を前記サブスクライバに配信するプレゼンスサービスとからなるプレゼンスシステムのプレゼンス通知先制御方法であって、前記プレゼンティティ側に、前記プレゼンス情報の通知を特定のサブスクライバだけに行うステップを備えている。
【手続補正４】
【補正対象書類名】明細書
【補正対象項目名】００１１
【補正方法】変更
【補正の内容】
【００１１】
本発明によるプレゼンス通知先制御方法のプログラムは、少なくとも自要素の状態を示すプレゼンス情報を提供するプレゼンティティと、それを観察するサブスクライバと、前記プレゼンティティから受取った前記プレゼンス情報を前記サブスクライバに配信するプレゼンスサービスとからなるプレゼンスシステムのプレゼンス通知先制御方法のプログラムであって、コンピュータに、前記プレゼンス情報の通知を特定のサブスクライバだけに行う処理を実行させている。